Podtech/llm-jp-corpus-v4-ja_patent huggingface dataset:
(57)【要約】      （修正有）【課題】歩行するのみで発電・蓄電・充電を行うことができ、バッテリー切れのリスクや予備電源準備を省略できる歩行携帯用発電蓄電機能付充電器と歩行充電機能付スマートホンを提供する。【解決手段】歩行携帯用発電蓄電機能付充電器は、携帯し、歩行することにより振動発電装置１で発電し、蓄電池２に充電する。スマートホン等の携帯端末に充電したい場合は、ＵＳＢポート４で充電対象端末とＵＳＢケーブルで接続し、情報表示装置５に付随しているボタンを押下することにより充電装置３から充電を行うことができる。情報表示装置５の液晶パネルには歩行数・残蓄電量が表示されるため、利用者がそれらを把握することができる。また、歩行充電機能付スマートホンは、携帯し、歩行することにより振動発電装置８で発電し、内蔵バッテリー７に充電することができる。【選択図】図１
0003234301.tif 000002
【実用新案登録請求の範囲】
【請求項１】
振動発電装置と蓄電池と充電装置を連結し携帯できるように一体化させることにより歩行中にスマートホン等の携帯端末への充電ができ長時間の歩行中の健康維持運動にも役立つことを特徴とする歩行携帯用発電蓄電機能付充電器。
【請求項２】
歩行するだけで充電が可能な振動発電装置内蔵バッテリー。
【請求項３】
内蔵バッテリーに振動発電装置を内蔵させることにより歩行するだけで充電が可能な歩行充電機能付スマートホン。
【考案の詳細な説明】
【技術分野】
【０００１】  本考案は、振動発電装置と蓄電池と充電装置を連結し携帯できるように一体化させることにより、歩行中にスマートホン等の携帯端末への充電ができるようにした歩行携帯用発電蓄電機能付充電器と、内蔵バッテリーに振動発電装置を内蔵させることにより、歩行するだけで充電できるようにした歩行充電機能付スマートホンに関するものである。
【背景技術】
【０００２】  充電用携帯バッテリーやスマートホン等の携帯端末は、移動中に充電する術がなく、歩行や公共交通機関を利用しての移動時には、移動前の一定限度の充電量以上の使用はできない。
なので長時間の歩行や公共交通機関を利用しての移動時のバッテリー切れのリスク回避のためには予備の充電用バッテリーを準備する必要がある。
【考案の概要】
【考案が解決しようとする課題】
【０００３】  予備の充電用バッテリーを準備することは手間であり重さの負担にもなる。
従って、振動発電装置と蓄電池と充電装置、または振動発電装置とバッテリーを連結し一体化することにより、歩行するだけで蓄電もしくは充電が可能となり、前述の欠点を解決しようとするものである。
【課題を解決するための手段】
【０００４】  本考案の歩行携帯用発電蓄電機能付充電器は、振動発電装置と蓄電池と充電装置を連結し一体化させフレームに収納し、携帯できる大きさと形状にした。
また、本考案の歩行充電機能付スマートホンは、内蔵バッテリーに振動発電装置を内蔵させて通常のスマートホンの大きさと形状と機能を維持したまま、歩行時の振動のみで充電できるようにした。
以上により、長時間の歩行や公共交通機関を利用しての移動時のバッテリー切れのリスクという問題点を解決している。
【考案の効果】
【０００５】  上述の様に、本考案の歩行携帯用発電蓄電機能付充電器と歩行充電機能付スマートホンは、長時間の移動時に携帯・歩行するのみで発電・蓄電・充電を行うことができ、バッテリー切れのリスク回避や予備電源の準備の省略に役立つ。
【図面の簡単な説明】
【０００６】
【図１】本考案の歩行携帯用発電蓄電機能付充電器と歩行充電機能付スマートホンの実施例を示す正面図（透過図）である。
【図２】本考案の歩行携帯用発電蓄電機能付充電器と歩行充電機能付スマートホンの実施例を示す右側面図（透過図）である。
【考案を実施するための形態】
【０００７】  本考案の歩行携帯用発電蓄電機能付充電器は、振動発電装置と蓄電池と充電装置を連結し一体化させ携帯できる大きさと形状のフレームに収納している。歩行時の振動により発電した電気は蓄電池に蓄えられ、充電装置のＵＳＢポートからスマートホンや携帯端末の充電ができる。また充電装置に連結した情報表示装置は、歩行数・残蓄電量を表示する。
また、本考案の歩行充電機能付スマートホンは、内蔵バッテリーに振動発電装置を内蔵しており、歩行時の振動により発電し内蔵バッテリーに充電ができる。
【実施例】
【０００８】  以下、添付図面に従って歩行携帯用発電蓄電機能付充電器の一実施例を説明する。１は振動発電装置、２は蓄電池、３は充電装置でそれぞれ電気回路により連結している。４は３の充電装置に付随するＵＳＢポートである。
５は３の充電装置に電気回路で連結している情報表示装置である。
以上の装置類は６の耐久性の合成樹脂等、適宣素材で形成された外枠フレームによって覆われている。４のＵＳＢポートと５の情報表示装置はフレームの外に露出している。
これらの装置類を一体化した充電器を携帯し歩行することにより、１の振動発電装置で発電し２の蓄電池に充電する。
スマートホン等携帯している端末に充電したい場合は、４のＵＳＢポートで充電対象端末とＵＳＢケーブルで接続し、５の情報表示装置に付随しているボタンを押下することにより、３の充電装置から充電を行う。
情報表示装置の液晶パネルには、歩行数・残蓄電量が表示される。【０００９】  また、添付図面に従って歩行充電機能付スマートホンの一実施例を説明する。７は内蔵バッテリー、８は７に内蔵されている振動発電装置、９はスマートホンの外枠フレームである。
このスマートホンを携帯し歩行することにより、８の振動発電装置で発電し７の内蔵バッテリーに充電する。
【符号の説明】
【００１０】  １  振動発電装置
２  蓄電池
３  充電装置
４  ＵＳＢポート
５  情報表示装置
６  外枠フレーム
７  内蔵バッテリー
８  振動発電装置
９  スマートホンの外枠フレーム
【図１】
0003234301.tif 000003
【図２】
0003234301.tif 000004
(57)【要約】      （修正有）【課題】扇子にマスクを簡単に装着及び交換可能とする飛沫防止具を提供する。【解決手段】飛沫防止具１は、開閉可能に形成された扇子部本体１０と、扇子部本体に着脱可能に取り付けられたマスク部２０と、扇子部本体を開いた状態に保持するための支持部材３０とを備える。また、マスク部は、扇子部本体の外縁部に当該マスク部に設けられた紐状部材２１を用いて取り付けられており、支持部材は、扇子部本体の両側面に設けられた親骨部１１に固定部材１２により着脱可能に固定されている。【選択図】図１
0003234734.tif 000002
【実用新案登録請求の範囲】
【請求項１】
開閉可能に形成された扇子部本体と、
前記扇子部本体に着脱可能に取り付けられたマスク部と、
前記扇子部本体を開いた状態に保持するための支持部材と、を備え、
前記マスク部は、扇子部本体の外縁部に当該マスク部に設けられた紐状部材を用いて取り付けられており、
前記支持部材は、前記扇子部本体の両側面に設けられた親骨部に固定部材により着脱可能に固定されていることを特徴とする飛沫防止具。
【請求項２】
前記扇子部本体を設置するための台座を更に備え、
前記台座は、台座部本体と、前記台座部本体に着脱可能に取り付けられた２本の受持棒を有し、
前記扇子部本体が前記受持棒の間に挟持されて設置されるように構成されていることを特徴とする請求項１に記載の飛沫防止具。
【考案の詳細な説明】
【技術分野】
【０００１】  本考案は、飛沫防止具に関するものである。
【背景技術】
【０００２】  例えば、飲食しながら会話を行う際に、扇子を用いて口を覆うことで、会話中に唾液が飛散することを防止することが行われる。
【考案の概要】
【考案が解決しようとする課題】
【０００３】  従来の扇子では、扇子自体を唾液の防止具としているため、扇子に唾液等が付着して汚染された場合、除菌剤等を用いて除菌したり、或いは扇子自体を交換する必要がある。扇子を除菌剤等で除菌すると、扇子が劣化したり、汚れたりする場合がある。また、扇子は比較的高価であるため、頻繁に扇子を交換することは困難である。
本考案は、扇子にマスクを簡単に装着及び交換可能とする飛沫防止具を提供することを課題とする。
【課題を解決するための手段】
【０００４】  本考案に係る飛沫防止具は、開閉可能に形成された扇子部本体と、前記扇子部本体に着脱可能に取り付けられたマスク部と、前記扇子部本体を開いた状態に保持するための支持部材とを備える。また、前記マスク部は、扇子部本体の外縁部に当該マスク部に設けられた紐状部材を用いて取り付けられており、前記支持部材は、前記扇子部本体の両側面に設けられた親骨部に固定部材により着脱可能に固定されていることを特徴とする。【０００５】  本考案に係る飛沫防止具では、扇子部本体に固定部材を用いて支持部材を取り付けて開いた状態に保持し、この状態で扇子部本体にマスク部を、マスク部の紐状部材を用いて簡便に取り付け、或いは交換することができる。【０００６】  また、本考案に係る飛沫防止具は、前記扇子部本体を設置するための台座を更に備えることができる。前記台座は、台座部本体と、前記台座部本体に着脱可能に取り付けられた２本の受持棒を有し、前記扇子部本体が前記受持棒の間に挟持されて設置されるように構成されていることを特徴としてもよい。
【考案の効果】
【０００７】  本考案に係る飛沫防止具では、扇子部本体に固定部材を用いて支持部材を取り付けて開いた状態に保持し、この状態で扇子部本体にマスク部を、マスク部の紐状部材を用いて簡便に取り付け、或いは交換することができる。マスク部としては、市販のマスクを適用することができる。また、本考案に係る飛沫防止具を用いることで、マスク部を交換することで、いつでも清潔に保つこともできる。
【図面の簡単な説明】
【０００８】
【図１】図１は、本実施形態に係る飛沫防止具を概略的に示したものである。
【図２】図２は、本実施形態に係る飛沫防止具の扇部本体を設置するための台座を示したものである。
【考案を実施するための形態】
【０００９】  図１に、本実施形態に係る飛沫防止具を概略的に示す。図１に示したように、飛沫防止具１は、開閉可能に形成された扇子部本体１０と、扇子部本体１０に着脱可能に取り付けられたマスク部２０と、扇子部本体１０を開いた状態に保持するための支持部材３０とを有することができる。また、マスク部２０は、扇子部本体１０の外縁部にマスク部２０に設けられた紐状部材２１を用いて取り付けられている。支持部材３０は、記扇子部本体１０の両側面に設けられた親骨部１１に固定部材１２により着脱可能に固定されている。
【００１０】  扇子部本体１０としては、例えば竹材などで造られた扇骨に紙などを貼った扇子を用いることができる。また、扇子部本体１０としては、団扇を用いることもできる。また、扇子部本体１０として、紙やプラスチックを蛇腹状に折り畳んだ扇子も用いることもできる。
【００１１】  また、マスク部２０としては、紐状部材を有する不織布、ウレタン製、布製などの種々のマスクを用いることができる。
【００１２】  また、支持部材３０は、扇子部本体１０の両側面に設けられた親骨部１１に固定部材１２により着脱可能に固定されるものである。扇子部本体１０を開いた状態で支持部材３０を親骨部１１に取り付けて、この開いた状態を維持することができる。支持部材３０は、板状の木製部材から成ることができる。
【００１３】  また、固定部材１２は、例えば、支持部材３０と扇子部本体１０の両側面に設けられた親骨部１１とを挟んで、互いに着脱可能に固定するものであり、例えばクリップなどを用いることができる。
【００１４】  図２に、飛沫防止具１の扇子部本体１０を設置するための台座４０を示す。図２に示すように、台座４０は、台座部本体４２と、台座部本体４２に着脱可能に取り付けられた２本の受持棒４１を有する。扇子部本体１０が受持棒４１の間に挟持されて設置される。
【００１５】  食事中に会話を行う際に、飛沫防止具１を用いることで、口元に当てがい覆うことにより、唾液等の飛沫が飛散することを防止することができる。また、マスク部２０を簡単に交換し、付け替えることができるので、衛生上の利点を有することができる。更に、日本の伝統文化である扇子を使用することにより、違和感なく会食を楽しむことができる。
【符号の説明】
【００１６】１    飛沫防止具
１０  扇子部本体
１１  親骨部
１２  固定部材
２０  マスク部
２１  紐状部材
３０  支持部材
４０  台座
４１  受持棒
４２  台座部本体
【図１】
0003234734.tif 000003
【図２】
0003234734.tif 000004
(57)【要約】      （修正有）【課題】湿式燃料鶏糞を蓄積する鶏糞焼却装置の燃料補給室において、外周部に位置するように制御するとともに空洞生成を回避する燃料収容口を備える燃料補給室を提供する。【解決手段】乾湿２系統の燃料物質を独立した経路にして、湿式を上部収容口Ｂ経由とし、乾式を下部収容口Ａ経由とし、かつ、燃料の移動方向に直交して配置されることで、落下蓄積後の重層構造を形成し、燃料鶏糞が円滑に燃焼室内に運搬供給される。【選択図】図４
0003234733.tif 000002
【実用新案登録請求の範囲】
【請求項１】
鶏糞焼却装置の燃料補給庫の仕切り壁上に設置された燃料収容口の２段構造。
【請求項２】
図４に示すように、仕切り壁Ｃに対面する壁Ｄがあって、上部は閉鎖もしくは開放され、下辺は全開放され、かつ燃料の移動方向に対して直交して設置された補給室の２槽構造。
【考案の詳細な説明】
【技術分野】
【０００１】  本考案は、鶏糞焼却炉の燃料補給室部分の、２個の燃料収容口を有する内部構造に関するものである。
【背景技術】
【０００２】      本考案は畜産廃棄物の減量化に資するためになされたものである。昨今養鶏業の規模拡大が盛んになるにつれて、廃棄物が畜産公害として懸念されるようになってきた。この課題を直接的に解決する方法は減量化であり、手段としては焼却する効果が抜群と考えられる。
しかも、鶏糞の特性として、水分過剰でも燃焼持続することも現場経験から確かめられている。よって、従来から大半の養鶏場では、伝統的な同一仕様の鶏糞焼却用の設備を稼働させてきている。
【考案の概要】
【考案が解決しようとする課題】
【０００３】湿式鶏糞燃料の粘質がもたらす落下不良と、その深刻な弊害の除去。
燃料用途に供せられる鶏糞は、その時々によって品質が定まらないのが難点である。指標として水分含有率でみても、大きく変動する。
そして水分過剰な場合、下記の２大弊害を誘発する原因となる。
一つには粘質状態のため自然落下が継続されないと、補給室内に空洞が生ずることになるのであるが、この破砕のために作業者が空洞上に足を踏み入れて復旧作業を試みることになる。その際、落盤事故が誘発され、なかんずく稼働中の機器に巻き込まれて人災となるケースがきわめて多い。
その一方で、水分過剰な鶏糞を燃焼室に継続して供給する経路においても、問題が発生する。その粘質がスクリュー搬送を妨げるのである。これを避けようとすれば、落下口を絞ればよいのであるが、これでは自然落下を妨げることになり、先にあげた事故をもたらす。。
以上の状況を裏返して考えれば、持続的燃料鶏糞の円滑な供給が最終目標といってよい。本考案は、円滑に湿式燃料鶏糞の燃焼室への供給が持続されるための仕組みとして考案したものである。
【課題を解決するための手段】
【０００４】本考案では、乾湿それぞれ異なる性質の粒状固体燃料を用いて、燃料補給庫内に重層構造［図３］を構築することで、疑似的な絞込み効果を得るものである。
この結果、実際の器具等による絞込みによる自然落下不良は回避されると考えられた。。
その重層構造は、収容口を上下２段に配置する［図１］ことと、特性の異なる乾湿それぞれの燃料の搬入経路を分離することで得られると考えられ、その際上段を湿式燃料に、下段を乾式燃料に使用する。
【考案の効果】
【０００５】まず動作状況から説明する。スクリュー搬送による燃料移動は、外縁部分より始まる。重層化により湿式燃料鶏糞をこの位置に置けば、率先して引き込まれる。
もし自然落下に滞れば、スクリューに空域が発生するので、より内側の乾式燃料が掬い取られる。乾式燃料をはぎ取られ支えを外された湿式燃料鶏糞は再落下を得る。こうなれば危険極まりない補修作業は不要となる。
また、燃料経路を分割し、各系統ごとに独立したことにより、感知装置を設置して庫内の燃料状態を遠隔から確認しつつ運用するという業務改善が図られる。
これは事前に危険を回避するのに役立ち、農場主がやみくもな作業に追い込まれて落命するという、悲惨な事故は姿を消すに違いない。
【図面の簡単な説明】
【０００６】
【図１】  正面図。２個の収容口の上下関係を示す。
【図２】  斜視図。全体の位置関係を示す。
【図３】  構造のイメージ図。燃料の経路と重層構造の態様を示す。
【図４】  実施例を斜視図で示す。
【考案を実施するための形態】
【０００７】  仕切り壁上に、上下２段に開口部を配置して、収容口とする。上部は水分量の多い湿式燃料鶏糞、下部が乾燥した粒状固形燃料の収容口。
同時に稼働したとしても、下部の乾燥燃料が先行して落下するので、水分過剰の燃料鶏糞が乾燥燃料内に混在することは起きない。かならず外周に位置する重層構造が維持される。
これは、絞込み効果に相当するものである。
【実施例】
【０００８】この特性を生かして、乾式燃料を先行充填しておき、満ちたところで湿式燃料鶏糞の充填に取り掛かる手順になるが、図４の実施例を用いて説明を加える。
この手順を補助するために、（符号８）のカバーを設けて乾湿両燃料を分離する。
また収容口付近に感知器具を設置しておく。（符号７）部は、感知器具を設置する台であるとともに、保護するための覆いである。そして乾式燃料の充填満了を感知器で確認し、湿式燃料鶏糞の補給に移る。
こうしてカバーを設けて乾式燃料槽を閉鎖してしまえば、防火機能を得るメリットになる。
【符号の説明】
【０００９】防火
Ａ  収容口（乾式用）
Ｂ  収容口（湿式用）
Ｃ  仕切り壁
Ｄ  分離壁
１  乾式燃料
２  湿式燃料鶏糞
３  搬送機構
４  燃焼室
５  燃料経路（乾式）
６  燃料経路（湿式）
７  感知装置取り付け台
８  分離カバー
９  燃焼室入り口
１０  駆動連絡口
【図１】
0003234733.tif 000003
【図２】
0003234733.tif 000004
【図３】
0003234733.tif 000005
【図４】
0003234733.tif 000006
【手続補正書】
【提出日】令和3年7月30日(2021.7.30)
【手続補正１】
【補正対象書類名】実用新案登録請求の範囲
【補正対象項目名】全文
【補正方法】変更
【補正の内容】
【実用新案登録請求の範囲】
【請求項１】
鶏糞焼却装置の燃料補給庫の仕切り壁上に、上下２段に開口部を配置した燃料収容口。
【請求項２】
仕切り壁Ｃに対面する壁Ｄがあって、上部は閉鎖もしくは開放され、下辺は全開放され、かつ燃料の移動方向に対して直交して設置されて成る２槽構造の、鶏糞焼却装置の燃料補給室
(57)【要約】      （修正有）【課題】ゴルフボールをパターでヒットする時、室内用の短いパッティング練習マットだと中間距離（２〜５ｍ程度）のヒット強さの練習が的確にできない。そのため、パターでヒットされたゴルフボールの転がり距離をヒットの強さに応じて距離に換算し数値表示する、ゴルフパッティング練習器具を提供する。【解決手段】本体ベース１と、本体ベース上に設けられたグリーンマット２と、前記グリーンマットの端部に設けられた質量受感部３と、操作・表示部４とを有し、前記質量受感部で測定されるボールのヒット強さに応じてボールの転がる距離が操作・表示部に設けられたＬＥＤに数字で表示されるパッティング練習器具。【選択図】図１
0003234731.tif 000002
【実用新案登録請求の範囲】
【請求項１】
ゴルフのパッティング練習において中間距離（２〜５ｍ程度）の距離感の反復練習を可能にするためボールのヒット強さに応じて転がる距離が眼下のＬＥＤに数字で表示される器具。
【請求項２】
コースグリーンの芝の速さに合せ３段階（スティンプメーターで７．５ｙｄ、９．５ｙｄ、１１．５ｙｄの３段階）に切替可能としそれぞれの速さに応じた転がり距離を表示する器具。
【考案の詳細な説明】
【技術分野】
【０００１】  本考案はパターでヒットされたゴルフボールの転がり距離をヒットの強さに応じて距離に換算し数値表示するものである。
【考案の概要】
【考案が解決しようとする課題】
【０００２】  ゴルフボールをパターでヒットする時、室内用の短いパッティング練習マットだと中間距離（２〜５ｍ程度）のヒット強さの練習が的確にできない。
【課題を解決するための手段】
【０００３】  ヒットされたゴルフボールが対岸の的に当った時の圧力を検知し電気信号に置換して眼下のＬＥＤに数値で距離を表示する。
【考案の効果】
【０００４】  今、ヒットした強さでゴルフボールが何ｍ転がるのか何回でも定量的に分かる練習器具。
又、眼下のＬＥＤに表示された数字を都度見る事からヘッドアップの防止に役立つ練習器具。
【図面の簡単な説明】
【０００５】
【図１】本考案のゴルフパッティング練習器具全体の斜視図である。
【図２】本考案のゴルフパッティング練習器具の操作、表示部の平面図である。
【考案を実施するための形態】
【実施例】
【０００６】  添付図１、２に従って一実施例を説明する。
グリーンマット２の右端から１０ｃｍ位のところにゴルフボールを置く。
パターを持って本体ベース１の手前に立つ。
操作、表示部４の電源５を入れる。
スティンプメーター値を選択する。（ここでは９．５ｙｄ７とする）
質量受感部を目掛けパターでゴルフボールをヒットする。
ボールが受感部に当ったら表示部９に転がる見込みの距離が表示される。
（この表示はグリーン速さ９．５ｙｄ７時の距離となる）
２回目の練習時はリセット１０を押して表示された距離をゼロにする。
【符号の説明】
【０００７】１  本体ベース
２  グリーンマット
３  質量受感部
４  操作、表示部
【図１】
0003234731.tif 000003
【図２】
0003234731.tif 000004
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
ゴルフのパッティング練習において中間距離（２〜５ｍ程度）の距離感の反復練習を可能にするため質量受感部を狙ってヒットされたボールが当該質量受感部に当った時の質量の圧力大小を電気信号に置換え操作、表示部に伝達し内蔵された演算部で計算して距離に換算しボールのヒット強さに応じて転がる距離を眼下のＬＥＤに数字で表示される器具。
【請求項２】
操作、表示部のＳＷを切替える事によりコースグリーンの芝の速さに合せ３段階（スティンプメーターで７．５ｙｄ、９．５ｙｄ、１１．５ｙｄの３段階）に切替可能としそれぞれの速さに応じた転がり距離の表示を特徴とする請求項１に記載のパッティング練習器具。
【手続補正書】
【提出日】令和3年6月4日(2021.6.4)
【手続補正１】
【補正対象書類名】実用新案登録請求の範囲
【補正対象項目名】全文
【補正方法】変更
【補正の内容】
【実用新案登録請求の範囲】
【請求項１】
本体ベースと、本体ベース上に設けられたグリーンマットと、前記グリーンマットの端部に設けられた質量受感部と、操作・表示部とを有し、前記質量受感部で測定されるボールのヒット強さに応じてボールの転がる距離が操作・表示部に設けられたＬＥＤに数字で表示されるパッティング練習器具。
【請求項２】
前記操作・表示部は、ＳＷを切替えることによりコースグリーンの芝の速さに合せ３段階に切替え可能であり、それぞれの速さに応じた転がり距離を表示することを特徴とする請求項１に記載のパッティング練習器具。
(57)【要約】      （修正有）【課題】１つの投入口と１つの出口を有し、長い時間間隔を空けて２個の玉を落下させると、入れた順序で出てくるが、短い時間間隔で２個の玉を落下させると、入れた順序とは逆の順序で出てくる玩具を提供する。【解決手段】外見で識別でき直径と重さが同じで重心が中心にある２個の玉、スロープA、スロープAとは勾配が逆で玉の直径より大きい距離を空けてスロープAの下に設けたスロープBを用意し、スロープAの上部に短い時間間隔で２個の玉を玉１玉２の順に落下させると、２個の玉はスロープAを玉１玉２の順に転がり落ちた後、スロープBに玉１玉２の順で飛び移り登坂を始めるが速度が落ちて停止した後、玉２玉１の順にスロープBを下り始め玉２玉１の順に出てくる。【選択図】図３
0003234744.tif 000002
【実用新案登録請求の範囲】
【請求項１】
次の（１）、（２）、（３）から成る玩具：（１）外見で識別でき直径と重さが同じで重心が中心にある２個の玉、（２）スロープA、（３）スロープAとは勾配が逆で玉の直径より大きい距離を空けてスロープAの下に設けたスロープB。
【考案の詳細な説明】
【技術分野】
【０００１】
本考案は、外見で識別でき直径と重さが同じで重心が中心にある２個の玉、スロープA、スロープAとは勾配が逆で上記の玉の直径より大きい距離を空けてスロープAの下に設けたスロープBから成る玩具に関するものである。
【背景技術】
【０００２】
箱から出てくる玉の順序を落下させる玉の順序と、電気を使わずに変えることができる装置は、落下位置を変えることで可能にしたものは考案されたが、落下位置を変えることなく可能にしたものはなかった。
【先行技術文献】
【特許文献】
【０００３】
【特許文献１】実願２０２１−００２４２７
【考案の概要】
【考案が解決しようとする課題】
【０００４】
１つの投入口と１つの出口を有する玩具で、長い時間間隔を空けて２個の玉を落下させると、入れた順序で出てくるが、短い時間間隔で２個の玉を落下させると、入れた順序とは逆の順序で出てくる玩具を提供する。
【課題を解決するための手段】
【０００５】
外見で識別でき直径と重さが同じで重心が中心にある２個の玉、スロープA、スロープAとは勾配が逆で玉の直径より大きい距離を空けてスロープAの下に設けたスロープBを用意し、スロープAの上部に短い時間間隔で２個の玉を玉１玉２の順に落下させると、２個の玉はスロープAを玉１玉２の順に転がり落ちた後、スロープBに玉１玉２の順で飛び移り登坂を始めるが速度が落ちて停止した後、玉２玉１の順にスロープBを下り始め玉２玉１の順に出てくる。
【考案の効果】
【０００６】
本考案の玩具は、２個の玉を落とす時間間隔が長いか短いかによって玉の出る順序が変わることを簡単に体験できるという利点がある。
【図面の簡単な説明】
【０００７】
【図１】図１は、一実施例として、本考案の装置を箱の中に設置し、２個の玉を玉１玉２の順に落下させようとしている状態を示す。
【図２】図２は、落下した２個の玉が玉１玉２の順にスロープAを転がっていく状態を示す。
【図３】図３は、スロープBに飛び移った玉１が転がり落ち始める前に玉２がスロープBに飛び移ったため、玉２が玉１の下になった状態を示す。
【図４】図４は、落下した２個の玉が玉２玉１の順にスロープBを転がり落ちた後、出口から出ていく状態を示す。
【考案を実施するための形態】
【０００８】
外見で識別でき直径と重さが同じで重心が中心にある２個の玉、スロープA、スロープAとは勾配が逆で上記の玉の直径より大きい距離を空けてスロープAの下に設けたスロープBを用意し、スロープAの上部に短い時間間隔で２個の玉を玉１玉２の順に落下させると、２個の玉はスロープAを玉１玉２の順に転がり落ちた後、スロープBに玉１玉２の順で飛び移り登坂を始めるが速度が落ちて停止した後、玉２玉１の順にスロープBを下り始め玉２玉１の順に出てくる。
【実施例１】
【０００９】
本考案の装置を箱の中に設置し、玉１を投入口から投入し、玉１がスロープBを転がり始めた時に玉２を投入口から投入したら、玉１、玉２の順序で出口から玉が出てきた。
【実施例２】
【００１０】
本考案の装置を箱の中に設置し、玉１、玉２を短い時間間隔で続けて投入口から投入したら、玉２、玉１の順序で出口から玉が出てきた。
【産業上の利用可能性】
【００１１】
本考案の玩具を実演したり遊ばせると知能の発達段階に応じて見る人や遊ぶ人に色々な発見をさせることが期待できるため、見る人や遊ぶ人の反応を観察したり何か気が付いたことはないかを質問したりすることによって知能の発達や認知機能の衰えを調べるツールとして、またどうしてそうなるかを考えさせる教材や展示品としての利用が期待できる。
【図１】
0003234744.tif 000003
【図２】
0003234744.tif 000004
【図３】
0003234744.tif 000005
【図４】
0003234744.tif 000006
(57)【要約】      （修正有）【課題】清潔にマスクを使用でき、その携帯性を高め、環境負荷の軽減に貢献できるマスク収納ケースを提供する。【解決手段】マスク収納ケース１は、あらかじめ抗菌剤を混ぜた再生プラスチック材料を用いたフィルムシートを折り曲げ、左辺ｆを圧着することで上辺ｂ、と右辺ｄ、ｅに開口部を持つことが出来、マスクの出し入れを容易にしつつ、その脱落を防止する。【選択図】図１
0003234760.tif 000002
【実用新案登録請求の範囲】
【請求項１】
使用済みプラスチックをリサイクルし生産されかつ抗菌加工が施されたポリプロピレン材料（以下再生ＰＰと表記する）を用いることでマスクに付着した黄色ブドウ球菌と大腸菌の増殖を抑制し、またマスク本体が外気に触れないように収納をするために、開閉可能な部分と圧着による密閉された部分、または開閉部分を一時的に係止するフック部を備え、マスクの出し入れと密閉に近い状態での保存機能を兼ね備える事を特長とするマスク収納ケース。
【請求項２】
前項に記載の再生ＰＰ材料に対する印刷は、オフセット印刷を用い絵や文字、写真などを印刷することを特徴とする請求項１に記載のマスク収納ケース。
【請求項３】
オフセット印刷にて絵や文字、写真などの印刷を施した再生ＰＰ材料に対し黄色ブドウ球菌と大腸菌の増殖を抑制する効果を備える抗菌ニスを用いて、オフセット印刷によりその表面にコーティング処理をすることを特徴とする請求項１に記載のマスク収納ケース。
【考案の詳細な説明】
【技術分野】
【０００１】  本考案は主として、フイルムシート材料に対して多目的に使用できる利便性の高いノベルティー商品に関するものである。
【背景技術】
【０００２】  従来のマスク収納ケースは、安価な紙製や布製で耐久性にも乏しい物だった。
【考案が解決しようとする課題】
【０００３】  従来のマスク収納ケースは、作成しようとする素材に抗菌加工がほどこされておらず、使用済みのマスクを収納する場合に、付着した雑菌が繁殖してしまう可能性があった。また、マスクをむき出しで持ち運ぶことも同様の問題があった。
【０００４】  少なからずプラスチック製品は廃棄処理の段階で環境に負荷をかけてしまうという課題を持っているが、本考案であるマスク収納ケースの材料シート素材を再生プラスチック樹脂を主原料としたリサイクルポリプロピレン材料を使用して作成することで環境負荷の課題を解決することができる。
【課題を解決するための手段】
【０００５】  予め抗菌、滅菌効果を持つ加工を施した再生ＰＰ材料を用いることで、使用済みのマスクに付着した雑菌の繁殖を抑える機能を持つマスク収納ケースを作成できる。また、オフセット印刷を用いてパターン等を印刷することで、共通の材料で多岐にわたる製品のバリエーションを作成することも出来、マスク収納ケースのノベルティー効果を高めることが出来る。そして再生ＰＰ材料を用いることで環境負荷を軽減することができる。
【考案実施の形態】
【０００６】  図１は本考案の再生材料使用のマスク収納ケース（１）の視図である。あらかじめ抗菌剤を混ぜた再生プラスチック材料を用いて製造されたマスク収納ケース（１）の底辺（ａ）は山折になっており、左辺（ｆ）で圧着されている。そのため底辺（ａ）及び左辺（ｆ）は閉じた状態になっている。上辺（ｂ）、（ｃ）と右辺（ｄ）、（ｅ）は開口しているため、ここからマスクを出し入れすることができる。この時ファイルの内側は抗菌効果を持つ。
【０００７】  図２は本考案の再生材料使用のマスク収納ケース（１）の展開図である。図１でマスク収納ケース（１）は１枚のフィルムシートを折り曲げ、左辺（ｆ）を圧着することで上辺（ｂ）、（ｃ）と右辺（ｄ）、（ｅ）部に開口部を持つことが出来る。また、左辺（ｆ）は圧着されているのでマスクを収納した場合にその脱落を防止することが出来、かつ底辺（ａ）で折り返した場合フック部（ｇ）が上辺（ｃ）の上部を挟み込み固定する。
【図面の簡単な説明】
【０００８】
【図１】抗菌加工マスク収納ケースの視図
【図２】図１の抗菌加工マスク収納ケースの展開図
【符号の説明】
【０００９】１  抗菌加工マスク収納ケース
２  抗菌ニスコーティング箇所
ａ  底辺
ｂ  上辺
ｃ  上辺
ｄ  右辺
ｅ  右辺
ｆ  左辺
ｇ  フック
【図１】
0003234760.tif 000003
【図２】
0003234760.tif 000004
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
抗菌加工が施されたリサイクル樹脂を原料とするポリプロピレン材料（以下再生ＰＰと表記する）を用い、おおよそ正方形に成形されたシートを中央から４分の１ほどずらしたところで折り、折り重ねられたシートの一方の短辺を圧着加工により固定することでシートが開閉可能な状態となる、またシートを中央から４分の１ほどずらして折り重ねたことで現れた余地部分に折り重ねた一方のシートを一時的に係止できるＵ字型フック部を設け、マスク本体収納時に本物品を密閉に近い状態で保存できる構造を設けた。また上記再生ＰＰ材料はあらかじめ抗菌加工が施されていることにより収納するマスクとシートが接する表面に付着した黄色ブドウ球菌と大腸菌の増殖を抑制出来る事を特長とするマスク収納ケース。
【請求項２】
前項に記載の再生ＰＰ材料に対する印刷は、オフセット印刷を用い絵や文字、写真を印刷することを特徴とする請求項１に記載のマスク収納ケース。
【手続補正書】
【提出日】令和3年8月5日(2021.8.5)
【手続補正１】
【補正対象書類名】実用新案登録請求の範囲
【補正対象項目名】全文
【補正方法】変更
【補正の内容】
【実用新案登録請求の範囲】
【請求項１】
抗菌加工が施されたリサイクル樹脂を原料とするポリプロピレン材料（以下再生ＰＰと表記する）を用い、おおよそ正方形に成形されたシートを中央から４分の１ほどずらしたところで折り、折り重ねられたシートの一方の短辺を圧着加工により固定することでシートが開閉可能な状態となる、またシートを中央から４分の１ほどずらして折り重ねたことで現れた余地部分に折り重ねた一方のシートを一時的に係止できるＵ字型フック部を設け、マスク本体収納時に本物品を密閉に近い状態で保存できる構造を設けた上記再生ＰＰ材料があらかじめ抗菌加工が施されていることにより収納するマスクとシートが接する表面に付着した黄色ブドウ球菌と大腸菌の増殖を抑制出来る事を特長とするマスク収納ケース。
【請求項２】
前項に記載の再生ＰＰ材料に対する印刷は、オフセット印刷を用い絵や文字、写真を印刷することを特徴とする請求項１に記載のマスク収納ケース。
(57)【要約】【課題】使用者の呼吸を楽にするエチケットマスクを提供する。【解決手段】フィルター２と、フィルター２の両端部にそれぞれ形成された一対の筒状部２ａ、２ｂと、一対の筒状部２ａ、２ｂを通してそれぞれフィルター２に取り付けられた一対の耳かけ部３ａ、３ｂと、を有し、フィルター２を広げて正面から見たときに、フィルター２の上縁２ｃ及び下縁２ｄが下方に凸に湾曲し、上縁２ｃは下縁２ｄよりも短く、一対の筒状部２ａ、２ｂがハの字状に配置されていることにより、使用者のアゴとフィルター２の間にすき間を形成するものとする。【選択図】図１
0003234759.tif 000002
【実用新案登録請求の範囲】
【請求項１】
フィルターと、
前記フィルターの両端部にそれぞれ形成された一対の筒状部と、
前記一対の筒状部を通してそれぞれ前記フィルターに取り付けられた一対の耳かけ部と、を有し、
前記フィルターを広げて正面から見たときに、前記フィルターの上縁及び下縁が下方に凸に湾曲し、前記上縁は前記下縁よりも短く、前記一対の筒状部がハの字状に配置されていることにより、使用者のアゴと前記フィルターの間にすき間を形成するエチケットマスク。
【考案の詳細な説明】
【技術分野】
【０００１】
本考案は、使用者の鼻及び口からの飛沫の拡散を防ぐエチケットマスクに関する。
【背景技術】
【０００２】
従来、使用者の鼻と口をフィルターが覆うマスクがある。
【考案の概要】
【考案が解決しようとする課題】
【０００３】
従来のマスクは呼吸がしにくいという問題がある。
【０００４】
本考案は、上記問題を解決するため、使用者の呼吸を楽にするエチケットマスクを提供することを目的とする。
【課題を解決するための手段】
【０００５】
かかる課題を解決するため本考案のエチケットマスクは、
フィルターと、
前記フィルターの両端部にそれぞれ形成された一対の筒状部と、
前記一対の筒状部を通してそれぞれ前記フィルターに取り付けられた一対の耳かけ部と、を有し、
前記フィルターを広げて正面から見たときに、前記フィルターの上縁及び下縁が下方に凸に湾曲し、前記上縁は前記下縁よりも短く、前記一対の筒状部がハの字状に配置されていることにより、使用者のアゴと前記フィルターの間にすき間を形成するものとする。
【考案の効果】
【０００６】
本考案によれば、使用者の呼吸を楽にするエチケットマスクを提供することができる。
【図面の簡単な説明】
【０００７】
【図１】本願の実施形態に係るエチケットマスクを示す正面図である。
【図２】本願の実施形態に係るエチケットマスクを示す背面図である。
【図３】本願の実施形態に係るエチケットマスクを示す平面図である。
【図４】本願の実施形態に係るエチケットマスクを示す底面図である。
【図５】本願の実施形態に係るエチケットマスクを示す左側面図である。
【図６】本願の実施形態に係るエチケットマスクの使用状態を示す斜視図である。
【考案を実施するための形態】
【０００８】
以下、図１から図６を参照して、本願の実施形態に係るエチケットマスク１０について説明する。
【０００９】
図１から図５に示すように、エチケットマスク１０は、フィルター２と、フィルター２の両端部にそれぞれ形成された一対の筒状部２ａ、２ｂと、一対の筒状部２ａ、２ｂを通してそれぞれフィルター２に取り付けられた一対の耳かけ部３ａ、３ｂとを有する。
【００１０】
フィルター２を広げて正面から見たときに、フィルター２の上縁２ｃおよび下縁２ｄは下方に凸に湾曲し、上縁２ｃは下縁２ｄよりも短く、一対の筒状部２ａ、２ｂがハの字状に配置されている。これにより、図６に示すように、エチケットマスク１０を使用者に装着した際、フィルター２の下部中央が使用者の前方に配置され、使用者のアゴとフィルター２の間にすき間が形成される。
【００１１】
本実施形態によれば、使用者の呼吸を楽にするエチケットマスクを提供することができる。
【符号の説明】
【００１２】
１０  エチケットマスク
２  フィルター
２ａ、２ｂ  筒状部
２ｃ  上縁
２ｄ  下縁
３ａ、３ｂ  耳かけ部
【図１】
0003234759.tif 000003
【図２】
0003234759.tif 000004
【図３】
0003234759.tif 000005
【図４】
0003234759.tif 000006
【図５】
0003234759.tif 000007
【図６】
0003234759.tif 000008
(57)【要約】      （修正有）【課題】ビュッフェなどで食器や容器に入れて食品を提供する時に、食品を取り分ける際の食品への埃や飛沫混入を軽減する、食品パーテーションを提供する。【解決手段】四方及び上方を開口させたスタンド１の上部に一部が折曲した形のパーテーション２と背面にパーテーション３を備えた食品パーテーション４を設置することにより、食品への埃や飛沫混入の軽減に役立つ。【選択図】図１
0003234774.tif 000002
【実用新案登録請求の範囲】
【請求項１】
四方及び上方を開口させたスタンドの上部に一部が折曲した形の板状パーテーションと背面にパーテーションを備えた食品パーテーション。
【考案の詳細な説明】
【技術分野】
【０００１】本考案は、例えば飲食店や食堂、給食、ホテルなどで行われるビュッフェ形式等での食品への飛沫や埃の付着を軽減するものである。
【背景技術】
【０００２】飲食店や食堂、給食、ホテルなどで飲食を提供する方法の一つにビュッフェと称する形式があり、食品を入れた食器や容器をテーブルに並べて提供する。
【考案の概要】
【考案が解決しようとする課題】
【０００３】ビュッフェなどでは、スタッフが対面した人へ食品を取り分ける方式や、お客様自身で食品を取り分けるテイクアウト方式があるが、その際食品へ埃や飛沫混入が避けられず不衛生である。
【課題を解決するための手段】
【０００４】四方及び上方を開口させたスタンド本体の上部に一部が折曲した形のパーテーションと背面にパーテーションを備えた食品パーテーションを食品の入った食器あるいは容器を覆うように設置する。
【考案の効果】
【０００５】本考案によればスタンド上部に一部が折曲したパーテーションと背面にパーテーションを備えた食品パーテーションにて食品の入った食器や容器を覆うことで、料理を取り分ける際に上部の一部が折したパーテーションが飛沫などを軽減する事ができ、またはスタッフが対面した多数の人に食品を取り分ける際には、背面に設けたパーテーションが対面している多数の人からの飛沫や埃を軽減することができる。正面と左右にはパーテーションを設けない事により、食品の補充及び取り出しが容易になっている。また、食品パーテーション本体は据え置きの為、向きの変更や場所の移動が容易である為、場所が限定される事なく使用できる。
【図面の簡単な説明】
【０００６】
【図１】本考案の食品パーテーションの斜視図である。
【図２】本考案の食品パーテーションの側面図である。
【考案を実施するための形態】
【０００７】以下に、図面を参照して、本願に係る発明を実施するための形態について説明する。本考案に係る食品パーテーションの構成は、上記実施形態に何ら限定されるものではなく、本発明を逸脱しない範囲で、必要に応じて変更することができる。
【０００８】図１は本考案の食品パーテーション４の斜視図である。
スタンド１、一部が折曲したパーテーション２、背面パーテーション３からなる構成となっている。
【０００９】図２は食品パーテーション４の側面図である。
【産業上の利用可能性】
【００１０】本考案に係る食品パーテーションは、上記の如く優れた効果を奏するものであり、飲食店や食堂、給食、ホテルなどで好適に用いる事ができる。
【符号の説明】
【００１１】１、スタンド
２、上面パーテーション
３、背面パーテーション
４、食品パーテーション
【図１】
0003234774.tif 000003
【図２】
0003234774.tif 000004
(57)【要約】      （修正有）【課題】調理やアウトドア用に一般的に存在する携行型ガストーチを熱源に使用した、持ち運びが容易なガスオーブンを提供する。【解決手段】本体７にガストーチ１を保持金具２によって保持し、ガストーチの火炎４によって庫内を加熱する。ガストーチは火炎に高い温度と強い風圧を持っている為、燃焼排気５は庫内の空気を対流させ、その結果内容物６を効率よく焼成することができる。【選択図】図１
0003234772.tif 000002
【実用新案登録請求の範囲】
【請求項１】
熱供給孔と排熱孔を設けるガスオーブンであって、ガストーチを熱源とすることを特徴とするガスオーブン。
【考案の詳細な説明】
【技術分野】
【０００１】本考案は、ガストーチを熱源に使用し、その燃焼排気熱と風圧によって内容物の焼成を目的とした、持ち運び容易なガスオーブンに関するもの。
【背景技術】
【０００２】原始的なガスオーブンは、庫内にガスバーナーの燃焼排気を取り込みその温度によって内容物を焼成させるもので、それには庫内の熱を対流させる概念がなかった。昨今は庫内を対流によって熱効率を上げることが一般的となり、家庭用ガスオーブンは電動ファンによって庫内を対流させることが基本となった。しかし、こうしたガスオーブンの稼働にはガス設備と共に電動ファンを稼働させる電気設備も必要とする。電気設備を必要とせず、持ち運びが容易で且つ庫内の均一な焼成を得られるガスオーブンは存在していなかった。【０００３】  特許文献１では、パイプからの輻射による加熱を前提としている。しかしながら一定方向からの輻射の焼成は、複数段の調理では輻射の当たる場所と届かない場所とでは均一な焼成が出来ない。また、熱を放射させるとパイプの温度は下がり排気流速も落ちる為対流に不利に作用する。さらには当該文献の記述によれば、庫内への排気は、排気に含まれる水分による内容物への加湿を目的としており、対流を目的とした記述がない。また、図面解説では加熱用ガスバーナーが下部にも別に存在するが、この構造は複雑であり持ち運びや手軽に使用するものには発展し難い。【０００４】  既存の原始的なガスオーブンの基本的な仕組みは、本体下部のガスバーナーから発生した熱い燃焼排気が上昇によって庫内下部から上部へと移動する。この燃焼排気が庫内を満たすことで庫内温度を上げ内容物を焼成するが、これは自然対流式オーブンと呼ばれる。本体に燃焼機能を持つものや、あるいはコンロなどに乗せて使用するものが存在し、現在は主にアウトドアなどで用いられる。しかしながら、ガスバーナーやコンロからの燃焼で得られる燃焼排気は上昇の動きしかなく、必然的に熱い排気は庫内上部に集中することになる。結果、庫内に活発な対流を発生させることは難しく、均一な焼成を得ることができない。【０００５】  既存の家庭用ガスオーブンの基本的な仕組みは、本体内に設置されたガスバーナーの燃焼排気を電動ファンによって庫内に強制的に送り込む。これは強制対流式オーブンと呼ばれ、ファンの風圧により強制的に対流を発生させることで、熱効率が高く均一な焼成が可能になる。しかしながら、電力設備やモーターが必要になり構造が煩雑になる。【０００６】ガスバーナーおよびガスコンロを熱源としたオーブンは存在するが、ガストーチを熱源としたオーブンは存在していない。
【先行技術文献】
【特許文献】
【０００７】
【特許文献１】特開平１１―１９０５２０号公報
【考案の概要】
【解決しようとする課題】
【０００８】  通常のガス燃焼のみでは理想的な対流が得られず、電動ファンを対流発生に用いれば構造が煩雑になる。これを入手が容易な熱源を使い内部構造を簡潔にした上で、どこでも持ち運べて且つ均一な焼成が可能なオーブンを提供する。
【課題を解決するための手段】
【０００９】  吸熱孔と排熱孔を有するオーブンであって、ガストーチを熱源とすることを特徴とするオーブン。調理やアウトドア用として広く使われている、ガストーチを熱源にしたオーブンを考案した。ガストーチはガスに多量の空気を吸い込んで燃焼する為燃焼温度が高く、さらには燃焼排気に余剰空気を含んでおり強い風圧も持っている。熱源と同時にこの風圧を利用すれば、他の動力を用いず庫内の対流を両立できるのではないかと考えた。
【考案の効果】
【００１０】庫内に極めて強い対流が起こり、熱効率が高く均一な焼成が可能になった。熱源と対流の要素をガストーチに集約したことで、本体に複雑な構造を持たず持ち運びに優れたガスオーブンとなった。
【図面の簡単な説明】
【００１１】
【図１】本考案の実施態様の構造図である。
【図２】本考案の別の実施態様の構造図である。
【考案を実施するための形態】
【００１２】  金属製空洞の箱の上部に熱を供給するための孔を開け、その孔にガストーチで火炎を吹き入れる構造とし、孔の外側にガストーチを保持するための保持具を設ける。箱の下部に、排熱のための孔を設け、庫内に熱の対流を起こさせることによって
効率よく内部の調理物を加熱することができるようにしたガスオーブンである。
【実施例１】
【００１３】    以下添付図面に従って一部実施を説明する。図１において本体は金属の薄板で構成される。本体外側に設置されたガストーチ１は携行型カセットガストーチを用いた。ガストーチからの火炎４は、本体７の内部のパイプ１０を通り燃焼排気に変換されパイプ排気口１２に達する。パイプの火炎付近の輻射１１は遮蔽版３により庫内への照射を遮る構造になっている。遮蔽版の反射効果により、パイプは高温を保ち排気流速を確保する。パイプ排気口１２から燃焼排気５を庫内に放出することで、燃焼排気対流により内容物を焼成する。
【実施例２】
【００１４】  以下添付図面に従って一部実施を説明する。図２においては金属の薄板で本体は構成される。本体外側に設置されたガストーチ１は携行型カセットガストーチを用いた。ガストーチからの火炎４は、燃焼排気道１３を通り燃焼排気５に変換され、庫内の燃焼排気対流となって内容物を焼成する。
【符号の説明】
【００１５】１    ガストーチ
２    ガストーチ保持金具
３    遮蔽板
４    火炎
５    燃焼排気
６    内容物
７    本体
８    仕切り棚
９    本体排気口
１０  パイプ
１１  輻射光線
１２  パイプ排気口
１３  燃焼排気道
【図１】
0003234772.tif 000003
【図２】
0003234772.tif 000004
(57)【要約】      （修正有）【課題】本体に、結合紐、足のせリングを設け、傘に装着することにより傘立てのない場所でも傘を立てる事が可能となる、取付け型傘立て棒を提供する。【解決手段】本考案は、取付け型傘立て棒の本体１に結合紐３、５を設け、その下方部につけた足のせリング６に足を乗せることにより傘を立てかけることが出来る。又、傘を開いた場合でも取付け型傘立て棒の本体は軽量かつコンパクトな為に傘に馴染み常時装着可能である。【選択図】図１
0003234714.tif 000002
【実用新案登録請求の範囲】
【請求項１】
取付け型傘立て棒の棒状の本体の上方に、傘の中央部を取付ける上方部結合紐と、本体の下方に傘の先端を本体から少し離間した位置に取付ける下方部結合紐と、本体を立てて使用する時に足を乗せる足のせリングを設けて、足のせリングに足を乗せることにより傘を自立させる事を特徴とする取付け型傘立て棒。
【考案の詳細な説明】
【技術分野】
【０００１】  本考案は、畳んだ傘を場所を選ばず立てかけられるように足のせリングを設けた取付け型傘立て棒に関するものである。
【背景技術】
【０００２】  雨に濡れた状態の傘を持って電車に乗車するも、両手が塞がって使えなかった場合の傘の置き方、立てかけ方に困っていた。
【先行技術文献】
【特許文献】
【０００３】
【特許文献１】特開２００６−８７８６２公報
【考案の概要】
【考案が解決しようとする課題】
【０００４】  先行技術文献に示されている発明は、足で踏む台座が面になっているが本考案はリング状になっている為に地面や靴底との接触面が少なく衛生的である。
又、本体が傘の中央部まで沿うことにより、長い傘でも安定感があり、かつ軽量、コンパクトな為にコスト面でも安価となる。
【課題を解決するための手段】
【０００５】  本考案は、取付け型傘立て棒の本体に２ヶ所の結合部を設け、畳んだ傘を結合部に結びつけ下方部足のせリングに足を乗せることにより傘を立てた状態にすることができる。又．傘を使用する場合は上方部結合紐をほどいた状態で傘を開けば下方部結合紐、足のせリングも角度が変更となり傘に馴染んで開く事により問題点を解決している。
【考案の効果】
【０００６】  上述の様に本考案の取付け型傘立て棒は乗物内で傘を立てかける事は勿論、傘を開いた状態でも軽量かつコンパクトな為、下方部結合紐を柄から少し離した所に結び目を作ることにより、傘に馴染み、常時本体と一体化することができる。又、傘立て棒として足のせリングの部分を隙間に差し込むことにより従来からある傘立てスペースの代わりとしても役立つ事ができる。傘の先端に結びつける紐は通し穴を設けたものを記載したが、穴については両方とも必ず設ける必要はない場合もある。
【図面の簡単な説明】
【０００７】
【図１】  本考案の取付け型傘立て棒の一実施例を示す図である。
【図２】  傘を半開きにして上方部結合紐をほどいた実施例を示す図である。
【図３】  傘を開き足のせリングの角度を変更した図である。
【図４】  取付け型傘立て棒の側面図である。
【図５】  取付け型傘立て棒の正面図である。
【考案を実施するための形態】
【０００８】  取付け型傘立て棒の本体の下方部結合紐に、本体と本体から離間した位置に傘の先端を結びけ上方部結合紐には傘の中央部を結びつけたところで、足のせリングに足を乗せることにより安定して傘が立つことになる、取付け型傘立て棒の下方部結合紐で傘の先端を結びつける位置は取付け型傘立て棒本体から０、５ｃｍ〜１ｃｍ離間した場所にするのが望ましい。又傘を開く時には上方部結合紐をほどき、ゆっくりと傘を開ける事により下方部結合紐と一体となった傘の先端と足のせリングが動いて傘が沿うようになり傘が開く事になる。
【０００９】  以下、添付図面に従って一実施例を説明する。１は耐久性プラスチックス等適宜素材にて一体形成化された取付け型傘立て棒の本体である。２は畳んだ傘を取付け型傘立て棒に結びつける為の紐３を通す穴である。４は５の紐を通す穴であり、５は取付け型傘立て棒の下方部結合紐で、傘の先端を結びつける位置は取付け型傘立て棒本体から約０、５ｃｍ〜１ｃｍ離間した場所にするのが望ましい。６は足のせリングで取付け型傘立て棒を安定して立たせる為のものである。
【実施例】
【００１０】  傘を開いて使用する場合は上方部結合紐３のみをほどき、ゆっくりと傘を開けることにより傘の先端を結んだ紐５、足のせリング６が一体となって傘の開く形状に合わせて自在に動くことにより傘と取付け型傘立て棒は違和感なく常時一体化して使用できる。【００１１】  本考案の一実施例は上記の如き構成からなるものであるが、足のせリングに足を乗せて用いる事は勿論である。足のせリング部分を隙間に差し込むことにより、従来からある傘立てスペースの代りとしても活用できる。【００１２】  取付け型傘立て棒の本体と傘を結合する場合、傘に付いている紐を利用することにより、２の上方部結合紐通し穴と、３の上方部結合紐はなくても良い。
又、傘の先端部と取付け型傘立て棒の本体下方部は０、５ｃｍ〜１ｃｍ離間して結合出来る部分、４の下方部結合紐通し穴はなくても良い。
【符号の説明】
【００１１】１  取付け型傘立て棒の本体
２  上方部結合紐通し穴
３  上方部結合紐
４  下方部結合紐通し穴
５  下方部結合紐
６  足のせリング
７  傘
【図１】
0003234714.tif 000003
【図２】
0003234714.tif 000004
【図３】
0003234714.tif 000005
【図４】
0003234714.tif 000006
【図５】
0003234714.tif 000007